(57)【特許請求の範囲】
【請求項１】
鳥類が巣を作るのを防止するための営巣防止装置であって、
前記鳥類の巣を模造したダミー巣と、
前記ダミー巣内に配設され、前記鳥類の卵を模造したダミー卵と、
前記鳥類による前記ダミー卵の卵抱を検知する卵抱検知手段と、
前記卵抱検知手段によって前記卵抱が検知された場合に、前記鳥類を威嚇して追い払う威嚇手段と、
を備えることを特徴とする営巣防止装置。
【請求項２】
前記卵抱検知手段は、前記威嚇手段を起動させる起動スイッチで構成され、前記卵抱によって前記起動スイッチがオンして前記威嚇手段が起動するようになっている、
ことを特徴とする請求項１に記載の営巣防止装置。
【請求項３】
前記威嚇手段は、前記ダミー卵を振動させる、
ことを特徴とする請求項１または２のいずれか１項に記載の営巣防止装置。
【請求項４】
前記威嚇手段は、前記ダミー卵を膨張させる、
ことを特徴とする請求項１または２のいずれか１項に記載の営巣防止装置。
【発明の詳細な説明】
【技術分野】
【０００１】
この発明は、鳥類が電柱などに巣を作るのを防止するための営巣防止装置に関する。
【背景技術】
【０００２】
カラスなどの鳥類が、例えば、春先に電柱の腕金などに巣を作ることで、配電線事故が発生するケースが後を絶たない。このため、巡視点検などで巣を見つけた場合には、巣を撤去して、風車や針式の鳥害防止具などを腕金などに取り付け、鳥類が巣を作るのを防止している。しかしながら、このような防止策を施しても、次から次に営巣場所を変えられたり、鳥類が慣れたりするため、実効的に防止することが困難であった。
【０００３】
一方、電柱の腕木に、糸を張り渡したカバーを取り付けることで、腕木に営巣するのを防止する技術が知られている（例えば、特許文献１参照。）。
【先行技術文献】
【特許文献】
【０００４】
【特許文献１】特表２００２−５２４６７１号公報
【発明の概要】
【発明が解決しようとする課題】
【０００５】
しかしながら、上記の特許文献１の技術では、糸を張り渡したカバーを腕木自体に取り付けたとしても、カラスなどが腕木近くの電線にとまって、カバーの上に巣を作ってしまう場合がある。つまり、営巣を効果的に防止することができない。
【０００６】
そこでこの発明は、営巣をより効果的に防止することが可能な営巣防止装置を提供することを目的とする。
【課題を解決するための手段】
【０００７】
上記課題を解決するために、請求項１の発明は、鳥類が巣を作るのを防止するための営巣防止装置であって、前記鳥類の巣を模造したダミー巣と、前記ダミー巣内に配設され、前記鳥類の卵を模造したダミー卵と、前記鳥類による前記ダミー卵の卵抱を検知する卵抱検知手段と、前記卵抱検知手段によって前記卵抱が検知された場合に、前記鳥類を威嚇して追い払う威嚇手段と、を備えることを特徴とする。
【０００８】
この発明によれば、カラスなどの鳥類がダミー巣に近づいてダミー卵を抱くと、卵抱検知手段によって卵抱が検知されて、威嚇手段の威嚇によって鳥類が追い払われる。
【０００９】
請求項２の発明は、請求項１に記載の営巣防止装置において、前記卵抱検知手段は、前記威嚇手段を起動させる起動スイッチで構成され、前記卵抱によって前記起動スイッチがオンして前記威嚇手段が起動するようになっている、ことを特徴とする。
【００１０】
請求項３の発明は、請求項１または２に記載の営巣防止装置において、前記威嚇手段は、前記ダミー卵を振動させる、ことを特徴とする。
【００１１】
請求項４の発明は、請求項１または２に記載の営巣防止装置において、前記威嚇手段は、前記ダミー卵を膨張させる、ことを特徴とする。
【発明の効果】
【００１２】
請求項１の発明によれば、鳥類がダミー卵を抱くと、威嚇手段で鳥類を威嚇して追い払うため、営巣をより効果的に防止することが可能となる。すなわち、習性や本能などに従って鳥類がダミー卵を抱いてじっとしている状態で、鳥類を威嚇するため、より効果的に鳥類を追い払って、営巣をより効果的に防止することが可能となる。
【００１３】
請求項２の発明によれば、鳥類がダミー卵を抱くと、卵抱検知手段の起動スイッチがオンして威嚇手段が起動する。換言すると、鳥類がダミー卵を抱いていない状態（平常時）では、威嚇手段の起動、動作などに要する電力を削減することが可能で、装置全体の消費電力を削減することが可能となる。
【００１４】
請求項３の発明によれば、鳥類がダミー卵を抱くと、ダミー卵が振動するため、鳥類がびっくりしてダミー巣から離れる。このようにして、より効果的に鳥類を追い払って、営巣をより効果的に防止することが可能となる。
【００１５】
請求項４の発明によれば、鳥類がダミー卵を抱くと、ダミー卵が膨張するため、鳥類がびっくりしてダミー巣から離れる。このようにして、より効果的に鳥類を追い払って、営巣をより効果的に防止することが可能となる。
【図面の簡単な説明】
【００１６】
【図１】この発明の実施の形態１に係る営巣防止装置を示す正面図である。
【図２】図１の営巣防止装置の装置本体を示す概略構成ブロック図である。
【図３】図１の営巣防止装置のダミー卵と装置本体とを示す正面図である。
【図４】この発明の実施の形態２に係る営巣防止装置の装置本体を示す概略構成ブロック図である。
【発明を実施するための形態】
【００１７】
以下、この発明を図示の実施の形態に基づいて説明する。
【００１８】
（実施の形態１）
図１〜図３は、この実施の形態を示し、図１は、この実施の形態に係る営巣防止装置１を示す正面図である。この営巣防止装置１は、鳥類が巣を作るのを防止するための装置であり、主として、ダミー巣２と、ダミー卵３と、装置本体４と、を備えている。ここで、この実施の形態では、鳥類がカラスＫであり、電柱や送電鉄塔などの電力設備に営巣するのを防止する場合について、主として説明する。
【００１９】
ダミー巣２は、カラスＫの実際の巣を模造、模倣した人工巣であり、電気絶縁性の素材（例えば、プラスチック）で構成されている。具体的には、略かご状で、底部および壁部に複数の水抜き孔２ａが形成されており、また、図示されていないが、人工枝が多数配設されて寝床が形成されている。ここで、変形自在な素材で構成し、配設位置などに応じてダミー巣２を変形できるようにしたり、万能蒸し器のように大きさや形状を変えられるようにしたりしてもよい。
【００２０】
ダミー卵３は、ダミー巣２内に配設され、カラスＫの実際の卵を模造、模倣した人工卵であり、電気絶縁性の素材（例えば、プラスチック）で構成されている。具体的には、ダミー巣２の底部（寝床）に配設され、その配設数は、実際にカラスＫが巣で卵を産んで温める通常の数と同数（例えば、２、３個）に設定されている。また、各ダミー卵３は、後述するようにして装置本体４（可動スイッチ４２等）に連結されている。
【００２１】
装置本体４は、カラスＫによる営巣を防止するための機器類が収容された装置であり、電気絶縁性の筐体内に、図２に示すように、温感スイッチ（卵抱検知手段）４１と、可動スイッチ（卵抱検知手段）４２と、電源４３と、バイブレータ（威嚇手段）４４と、ブザー（威嚇手段）４５と、これらを制御などする中央処理部４６と、を備えている。
【００２２】
温感スイッチ４１と可動スイッチ４２は、カラスＫによるダミー卵３の卵抱を検知するセンサであり、バイブレータ４４とブザー４５を起動させる起動スイッチで構成され、卵抱によって起動スイッチがオンしてバイブレータ４４とブザー４５が起動するようになっている。
【００２３】
具体的に、温感スイッチ４１は、温度上昇を検知するとスイッチがオンするものであり、例えば、バイメタルで構成され、装置本体４の筐体の上面側に配設されている。そして、カラスＫがダミー卵３を抱くことでカラスＫの腹部が筐体の上面に接すると、筐体の上面周辺の温度が上昇し、所定の温度に達すると温感スイッチ４１がオンするようになっている。このようにして、温感スイッチ４１がオンすることで、カラスＫによるダミー卵３の卵抱を検知するものである。
【００２４】
可動スイッチ４２は、押下されるとスイッチがオンするものであり、図３に示すように、各ダミー卵３と連結棒３１を介して連結されている。そして、カラスＫがダミー卵３を抱くことでダミー卵３が押下されると（ダミー卵３が動くと）、これに伴って可動スイッチ４２が押下されて可動スイッチ４２がオンするようになっている。このようにして、可動スイッチ４２がオンすることで、カラスＫによるダミー卵３の卵抱を検知するものである。
【００２５】
このような温感スイッチ４１と可動スイッチ４２は、電力を要せずに作動するようになっている。
【００２６】
電源４３は、バイブレータ４４とブザー４５を起動、動作させるための電源であり、この実施の形態では、電池で構成されている。
【００２７】
バイブレータ４４とブザー４５は、カラスＫによるダミー卵３の卵抱が温感スイッチ４１、可動スイッチ４２によって検知された場合に、カラスＫを威嚇して追い払うものである。
【００２８】
具体的に、バイブレータ４４は、ダミー卵３を振動させるものであり、連結棒３１を介して各ダミー卵３と連結されている。そして、上記のようにして温感スイッチ４１、可動スイッチ４２がオンされると、電源４３がオンしてバイブレータ４４が起動し、振動を開始する。これに伴って、連結棒３１を介して各ダミー卵３が振動するようになっている。また、この振動時間は、カラスＫを威嚇して追い払うのに十分な時間に設定されている。
【００２９】
ブザー４５は、カラスＫが嫌う音を発するものであり、音源とスピーカとを備えている。そして、上記のようにして温感スイッチ４１、可動スイッチ４２がオンされると、電源４３がオンしてブザー４５が起動し、音を発するようになっている。また、この音の出力時間は、カラスＫを威嚇して追い払うのに十分な時間に設定されている。
【００３０】
ここで、この実施の形態では、温感スイッチ４１および可動スイッチ４２の少なくとも一方によって、カラスＫによるダミー卵３の卵抱が検知された場合に、バイブレータ４４およびブザー４５の双方が起動、作動するようになっている。これに対して、温感スイッチ４１および可動スイッチ４２の双方によって、カラスＫによるダミー卵３の卵抱が検知された場合に、バイブレータ４４およびブザー４５の双方または一方を起動、作動するようにしてもよい。あるいは、温感スイッチ４１で卵抱が検知された場合には、バイブレータ４４またはブザー４５の一方を起動し、可動スイッチ４２で卵抱が検知された場合には、バイブレータ４４またはブザー４５の他方を起動するようにしてもよい。
【００３１】
さらに、卵抱が検知される度（卵抱の度）に、バイブレータ４４およびブザー４５の起動を切り替えるようにしてもよい。例えば、最初の検知ではバイブレータ４４を起動し、次の検知ではブザー４５を起動し、続く検知ではバイブレータ４４を起動する、というように交互に威嚇方法を変えるようにしてもよい。これにより、カラスＫが威嚇に慣れる（学習する）のを防止して、カラスＫを適正、確実に追い払うことが可能となる。
【００３２】
このような装置本体４の筐体の下面には、図１、図３に示すように、平盤状の磁石体５が配設されている。そして、この磁石体５を電柱の腕金などの取付対象に装着することで、営巣防止装置１を取付対象に着脱自在となっている。
【００３３】
次に、このような構成の営巣防止装置１の作用などについて説明する。ここで、上記のようにして、営巣防止装置１が電柱などの電力設備に取り付けられているとする。
【００３４】
まず、カラスＫがダミー巣２に近づき、卵を抱くという習性や本能などに基づいてカラスＫがダミー卵３を抱くと、上記のようにして、温感スイッチ４１、可動スイッチ４２によって卵抱が検知される。続いて、電源４３がオンしてバイブレータ４４が起動し、ダミー卵３が振動するとともに、ブザー４５が起動して音が発せられる。これによってカラスＫがびっくりして、ダミー巣２から逃げ出すものである。
【００３５】
以上のように、本営巣防止装置１によれば、カラスＫがダミー卵３を抱くと、ダミー卵３の振動や音でカラスＫを威嚇して追い払うため、営巣をより効果的に防止することが可能となる。すなわち、習性や本能などに従ってカラスＫがダミー卵３を抱いてじっとしている状態で、カラスＫを威嚇するため、より効果的にカラスＫをびっくりさせて追い払い、営巣をより効果的に防止することが可能となる。
【００３６】
しかも、カラスＫがダミー卵３を抱くと、ダミー卵３が振動するため、カラスＫがよりびっくりしてダミー巣２から離れる。すなわち、自然界では卵が振動することなどないため、カラスＫが激しく驚いてダミー巣２から離れる。このようにして、より効果的にカラスＫを追い払って、営巣をより効果的に防止することが可能となる。
【００３７】
また、温感スイッチ４１と可動スイッチ４２は、電力を要せずに作動し、カラスＫがダミー卵３を抱くと、温感スイッチ４１や可動スイッチ４２がオンしてバイブレータ４４やブザー４５が起動する。換言すると、カラスＫがダミー卵３を抱いていない状態（平常時）では、温感スイッチ４１と可動スイッチ４２およびバイブレータ４４とブザー４５に対する電力が不要なため、装置全体の消費電力を削減することが可能となる。
【００３８】
（実施の形態２）
図４は、この実施の形態に係る営巣防止装置１の装置本体４を示す概略構成ブロック図であり、実施の形態１と同等の構成については、同一符号を付することでその説明を省略する。
【００３９】
この実施の形態では、バイブレータ４４に代わって、ダミー卵３を膨張させる膨張器（威嚇手段）４７を備える点で、実施の形態１と構成が異なる。
【００４０】
すなわち、この実施の形態１では、ダミー卵３が風船のように膨張、収縮が自在で、中空の連結棒３１を介して膨張器４７と連結され、膨張器４７は、圧縮空気を貯留するエアタンクを備えている。そして、カラスＫによるダミー卵３の卵抱が温感スイッチ４１、可動スイッチ４２によって検知されると、電源４３がオンして膨張器４７が起動し、連結棒３１を介してエアタンクからダミー卵３に圧縮空気が流れ、ダミー卵３が膨張するようになっている。また、膨張器４７にリリース弁を備え、リリース弁を開くとダミー卵３内の圧縮空気が外部に流れ、ダミー卵３が再び収縮するようになっている。
【００４１】
このように、この実施の形態によれば、カラスＫがダミー卵３を抱くと、ダミー卵３が膨張するため、カラスＫがよりびっくりしてダミー巣２から離れる。すなわち、自然界では卵が膨張することなどないため、カラスＫが激しく驚いてダミー巣２から離れる。このようにして、より効果的にカラスＫを追い払って、営巣をより効果的に防止することが可能となる。
【００４２】
以上、この発明の実施の形態について説明したが、具体的な構成は、上記の実施の形態に限られるものではなく、この発明の要旨を逸脱しない範囲の設計の変更等があっても、この発明に含まれる。例えば、卵抱検知手段が、電力を要しない温感スイッチ４１と可動スイッチ４２とで構成され、バイブレータ４４とブザー４５を起動させる起動スイッチとなっているが、卵抱検知手段を、電力を要する単なるセンサとしてもよい。例えば、卵抱検知手段を温度センサや圧力センサで構成して、検知した周囲温度やダミー卵３への圧力を中央処理部４６に逐次伝送する。そして、中央処理部４６において周囲温度や圧力に基づいてカラスＫによるダミー卵３の卵抱を判定、検知して、バイブレータ４４やブザー４５を起動させるようにしてもよい。
【００４３】
また、卵抱を検知してから所定時間後に、バイブレータ４４やブザー４５、膨張器４７を起動して威嚇を開始するようにしてもよい。これにより、カラスＫがダミー卵３を抱いて落ち着いている状態、あるいは安心している状態で、カラスＫを威嚇することが可能となり、より効果的にカラスＫをびっくりさせて追い払うことが可能となる。
【符号の説明】
【００４４】
１        営巣防止装置
２        ダミー巣
３        ダミー卵
４        装置本体
４１      温感スイッチ（卵抱検知手段、起動スイッチ）
４２      可動スイッチ（卵抱検知手段、起動スイッチ）
４３      電源
４４      バイブレータ（威嚇手段）
４５      ブザー（威嚇手段）
４６      中央処理部
４７      膨張器（威嚇手段）
５        磁石体
Ｋ        カラス（鳥類）
【要約】
【課題】  営巣をより効果的に防止することが可能な営巣防止装置を提供する。
【解決手段】  鳥類Ｋの巣を模造したダミー巣２と、ダミー巣２内に配設され、鳥類Ｋの卵を模造したダミー卵３と、鳥類Ｋによるダミー卵３の卵抱を検知する可動スイッチ４２と、可動スイッチ４２によって卵抱が検知された場合に、鳥類Ｋを威嚇して追い払うバイブレータ４４と、を備える。
【選択図】  図１【図１】
0005886396.tif 000002
【図２】
0005886396.tif 000003
【図３】
0005886396.tif 000004
【図４】
0005886396.tif 000005